(57)【特許請求の範囲】
【請求項１】
交流電源の交流出力を整流する整流器と、平滑用の第１のコンデンサと、第１のコンデンサと並列に接続されるとともに高周波で交互にオン／オフされる１対の第１及び第２のスイッチング要素の直列回路と、第１及び第２のスイッチング要素とそれぞれ逆並列に接続される第１及び第２のダイオードと、上記第１及び第２のスイッチング要素の接続点と整流器の一方の直流出力端との間に接続されるインダクタンス要素と、一端がインダクタンス要素と整流器の直流出力端との接続点に接続され、他端が第１のコンデンサの一方の端子に接続されて第１又は第２のスイッチング要素のオン／オフに応じてインダクタンス要素と共振回路を形成する第２のコンデンサと、インダクタンス要素と並列的に接続されて、インダクタンス要素と第２のコンデンサによる共振に応じて高周波出力を得る負荷回路とを備え、整流器の他方の直流出力端が第１のコンデンサの端子のうちで交流電源から整流器と、インダクタンス要素と、第１及び第２のダイオードの何れか一方と、第１のコンデンサとを介して電流の流れる経路が形成される側の端子に接続されてなる電源装置において、少なくとも電源投入時には交流電源から整流器とインダクタンス要素と第１及び第２のダイオードの何れか一方と第１のコンデンサとを介して電流が流れないように交流電源を回路的に切り離す切離し手段を設け、切離し手段は、整流器の一対の直流出力端の何れか一方と第２のコンデンサとの間に接続された第３のスイッチング要素からなることを特徴とする電源装置。
【発明の詳細な説明】
【０００１】
【発明の属する技術分野】
本発明は、交流電源を整流平滑した直流電圧を高周波電圧に変換して負荷に供給する電源装置に関するものである。
【０００２】
【従来の技術】
従来より図１２に示す電源装置がある（特開平１０−２８５９４６号公報参照）。この電源装置は、交流電源１の電源電圧Ｖｓを整流する整流器（ダイオードブリッジ）２と、平滑用の第１のコンデンサＣ１と、この第１のコンデンサＣ１と並列に接続されるとともに高周波で交互にオン／オフされるバイポーラトランジスタから成る第１及び第２のスイッチング要素Ｑ１，Ｑ２の直列回路と、第１及び第２のスイッチング要素Ｑ１、Ｑ２とそれぞれ逆並列に接続される第１及び第２のダイオードＤ１，Ｄ２と、第１及び第２のスイッチング要素Ｑ１，Ｑ２の接続点と整流器２の高電位側の直流出力端との間に１次巻線が接続されるトランスＴと、トランスＴの２次巻線に接続される負荷回路３と、トランスＴの１次巻線と整流器２の高電位側の直流出力端との接続点に一端が接続されるとともに他端が第１のコンデンサＣ１の低電位側の端子に接続される第２のコンデンサＣ２とを備え、整流器２の低電位側の直流出力端が第１のコンデンサＣ１の低電位側に接続されて構成されている。ここで、整流器２の直流出力端間に接続される第２のコンデンサＣ２は比較的に容量の小さいものであって、トランスＴの漏れインダクタンスと共振回路を形成する。
【０００３】
負荷回路３は、負荷である放電灯ＬａのフィラメントにトランスＴの２次巻線と共振用のコンデンサＣ３とが直列接続されて構成され、トランスＴの漏れインダクタンスとコンデンサＣ３とで共振回路が形成される。
【０００４】
第１のコンデンサＣ１と並列に接続された第１及び第２のスイッチング要素Ｑ１，Ｑ２は図示しない駆動回路により駆動されて交互にオン／オフされる。
【０００５】
次に、上記構成の電源装置の動作について説明するが、まず第１及び第２のスイッチング要素Ｑ１，Ｑ２がオン／オフされる一周期の動作について説明する。
【０００６】
第１のスイッチング要素Ｑ１がオン、第２のスイッチング要素Ｑ２がオフした場合、第１のコンデンサＣ１の放電によって第１のコンデンサＣ１→第１のスイッチング要素Ｑ１→トランスＴの１次巻線→第２のコンデンサＣ２→第１のコンデンサＣ１の経路で電流が流れる。このとき、第２のコンデンサＣ２の両端電圧Ｖｃ２はトランスＴの漏れインダクタンスとの共振により上昇する。第１のスイッチング要素Ｑ１がオフすると、トランスＴの１次巻線に蓄積されたエネルギーが放出され、トランスＴ→第２のコンデンサＣ２→第２のダイオードＤ２→トランスＴの経路で電流が流れ続け、第２のコンデンサＣ２の両端電圧Ｖｃ２がさらに上昇する。
【０００７】
続いて第２のスイッチング要素Ｑ２がオンすると、トランスＴの漏れインダクタンスとコンデンサＣ２，Ｃ３との共振作用により、第２のコンデンサＣ２→トランスＴ→第２のスイッチング要素Ｑ２→第２のコンデンサＣ２の経路で共振電流が流れる。このとき、第２のコンデンサＣ２の両端電圧Ｖｃ２が下降し始め、この両端電圧Ｖｃ２が整流器２の直流出力電圧よりも低くなると、交流電源１から入力電流Ｉｉｎが引き込まれて、交流電源１→整流器２→トランスＴ→第２のスイッチング要素Ｑ２→整流器２→交流電源１の経路で電流が流れる。そして、第２のスイッチング要素Ｑ２がオフしても、図１３に示すように交流電源１→整流器２→トランスＴ→第１のダイオードＤ１→第１のコンデンサＣ１→整流器２→交流電源１の経路で電流が流れ続け、電流がゼロになると再びスイッチング要素Ｑ１がオンの状態へと戻る。
【０００８】
上述の動作を繰り返すことで、トランスＴの１次巻線に流れる電流はトランスＴの作用によって直流成分が取り除かれ、２次巻線に接続された放電灯Ｌａを高周波の交流で点灯させることができる。なお、整流器２の前段に高周波をカットするフィルタ回路を設けることによって、交流電源１からの入力電流Ｉｉｎの波形はフィルタリングされて略正弦波状の波形となり、入力電流Ｉｉｎの高調波成分を抑制して入力力率を向上させることができる。また、第２のコンデンサＣ２の容量を適当な値に設定することにより、交流電源１の電源電圧Ｖｓが略ゼロとなる近傍の区間においても第２のコンデンサＣ２の両端電圧Ｖｃ２が略ゼロ［Ｖ］付近まで下がり、交流電源１の電源電圧Ｖｓの略全域の周期にわたって入力電流Ｉｉｎを引き込むことが可能となる。
【０００９】
【発明が解決しようとする課題】
しかしながら上記従来の電源装置においては、電源投入前には第１のコンデンサＣ１に電荷が蓄えられていないため、電源を投入した瞬間に交流電源１→整流器２→トランスＴ→第１のダイオードＤ１→第１のコンデンサＣ１→整流器２→交流電源１の経路で突入電流が流れて経路上の素子に過大なストレスを及ぼすという問題がある。
【００１０】
本発明は上記問題点の解決を目的とするものであり、簡単な回路構成により電源投入時の突入電流を低減することができる電源装置を提供するものである。
【００１１】
【課題を解決するための手段】
上記目的を達成するために、請求項１の発明は、交流電源の交流出力を整流する整流器と、平滑用の第１のコンデンサと、第１のコンデンサと並列に接続されるとともに高周波で交互にオン／オフされる１対の第１及び第２のスイッチング要素の直列回路と、第１及び第２のスイッチング要素とそれぞれ逆並列に接続される第１及び第２のダイオードと、上記第１及び第２のスイッチング要素の接続点と整流器の一方の直流出力端との間に接続されるインダクタンス要素と、一端がインダクタンス要素と整流器の直流出力端との接続点に接続され、他端が第１のコンデンサの一方の端子に接続されて第１又は第２のスイッチング要素のオン／オフに応じてインダクタンス要素と共振回路を形成する第２のコンデンサと、インダクタンス要素と並列的に接続されて、インダクタンス要素と第２のコンデンサによる共振に応じて高周波出力を得る負荷回路とを備え、整流器の他方の直流出力端が第１のコンデンサの端子のうちで交流電源から整流器と、インダクタンス要素と、第１及び第２のダイオードの何れか一方と、第１のコンデンサとを介して電流の流れる経路が形成される側の端子に接続されてなる電源装置において、少なくとも電源投入時には交流電源から整流器とインダクタンス要素と第１及び第２のダイオードの何れか一方と第１のコンデンサとを介して電流が流れないように交流電源を回路的に切り離す切離し手段を設け、切離し手段は、整流器の一対の直流出力端の何れか一方と第２のコンデンサとの間に接続された第３のスイッチング要素からなることを特徴とし、少なくとも電源投入時には切離し手段によって交流電源を回路的に切り離すことで突入電流を低減することができる。なお、第１又は第２のスイッチング要素のオン／オフにより交流電源からの入力電流を一旦インダクタンス要素に短時間流し、インダクタンス要素に蓄積されたエネルギーによって第１のコンデンサへ電流を流して第1のコンデンサを充電することができる。また、第３のスイッチング要素からなる簡単な回路構成によって、少なくとも電源投入時には第３のスイッチング要素をオフすることで交流電源を回路的に切り離して突入電流が低減でき、また第３のスイッチング要素と第１又は第２のスイッチング要素とを同時にオンして交流電源からの入力電流を一旦インダクタンス要素に短時間流し、第３のスイッチング要素と第１又は第２のスイッチング要素とを同時にオフしてインダクタンス要素に蓄積されたエネルギーにより第１のコンデンサへ電流を流して第１のコンデンサを充電することができ、さらに定常動作時には第３のスイッチング要素と第１又は第２のスイッチング要素を同期させて第１のコンデンサの両端電圧の昇圧を抑制することができる。
【００１５】
【発明の実施の形態】
（参考例）
本発明の実施形態について説明する前に、本発明に関連した参考例について説明する。本参考例における基本構成は従来例と共通するために共通する部分については同一の符号を付して説明を省略し、本参考例の特徴となる部分についてのみ詳細に説明する。
【００１６】
本参考例は、図１に示すように第１のコンデンサＣ１と第２のダイオードＤ２との接続点にカソードが接続され、第２のスイッチング要素Ｑ２のエミッタにアノードが接続された第３のダイオードＤ３と、第１のコンデンサＣ１と第２のダイオードＤ２との接続点にアノードが接続され、整流器２とトランスＴの１次巻線との接続点にカソードが接続された第４のダイオードＤ４とからなる切離し手段を設けた点に特徴がある。
【００１７】
次に図２〜図４に基づいて本参考例の基本動作を説明する。
【００１８】
電源投入時において、第１及び第２のスイッチング要素Ｑ１，Ｑ２が共にオフのとき、交流電源１→整流器２→第１のダイオードＤ１→第１のコンデンサＣ１→整流器２→交流電源１の経路で流れようとする突入電流は第３のダイオードＤ３によって阻止されて流れず、交流電源１が回路的に切り離された状態となる。ここで第２のスイッチング要素Ｑ２をオンすると、図２に示すように、交流電源１→整流器２→トランスＴ→第２のスイッチング要素Ｑ２→整流器２→交流電源１の経路にて交流電源１から入力電流Ｉｉｎが流れ、次に第２のスイッチング要素Ｑ２をオフすると、図３に示すように、トランスＴの１次巻線に蓄えられたエネルギーによってトランスＴ→第１のダイオードＤ１→第１のコンデンサＣ１→第４のダイオードＤ４→トランスＴの経路で電流が流れて第１のコンデンサＣ１が充電される。
【００１９】
例えば図４に示すように、電源投入から定常動作に至るまでの間、時間ｔ＝ｔ０に電源を投入してから時間ｔ＝ｔ１までの間は、第１のスイッチング要素Ｑ１をオフし（図４（ａ）参照）、第２のスイッチング要素Ｑ２のみオン／オフを繰り返すことによって（図４（ｂ）参照）、上述のように第１のコンデンサＣ１が充電される。ここで充電電流のピーク値が素子に過大なストレスがかからないレベルとなるように、例えば第２のスイッチング要素Ｑ２のオン時間を短く、或いはオン／オフの周波数を高く設定すれば良い。そして、電源投入後、第１のコンデンサＣ１が十分に充電された時間ｔ＝ｔ１の経過後に、第１及び第２のスイッチング要素Ｑ１，Ｑ２を交互にオン／オフする動作を繰り返して定常動作となる。
【００２０】
次に、第１のコンデンサＣ１が充電された後の定常動作時において、第１及び第２のスイッチング要素Ｑ１，Ｑ２がオン／オフされる一周期の動作について簡単に説明する。
【００２１】
第１のスイッチング要素Ｑ１がオン、第２のスイッチング要素Ｑ２がオフのとき、第１のコンデンサＣ１の電荷が放出されて第１のコンデンサＣ１→第１のスイッチング要素Ｑ１→トランスＴ→第２のコンデンサＣ２→第３のダイオードＤ３→第１のコンデンサＣ１の経路で電流が流れ、第２のコンデンサＣ２の両端電圧Ｖｃ２はトランスＴの漏れインダクタンスとの共振によって増加する。
【００２２】
次に、第１のスイッチング要素Ｑ１をオフすると、トランスＴの１次巻線に蓄積されたエネルギーが放出されてトランスＴ→第２のコンデンサＣ２→第３のダイオードＤ３→第２のダイオードＤ２→トランスＴの経路で電流が流れ続けて第２のコンデンサＣ２の両端電圧Ｖｃ２はさらに増加する。
【００２３】
そして、第２のスイッチング素子Ｑ２をオンすると、トランスＴの漏れインダクタンスと第２及び第３のコンデンサＣ２、Ｃ３の共振作用により、第２のコンデンサＣ２→トランスＴ→第２のスイッチング要素Ｑ２→第２のコンデンサＣ２の経路で共振電流が流れる。このとき、第２のコンデンサＣ２の両端電圧Ｖｃ２は減少しはじめ、整流器２の出力電圧よりも低くなると、交流電源１→整流器２→トランスＴ→第２のスイッチング要素Ｑ２→整流器２→交流電源１の経路で電流が流れて交流電源１から入力電流Ｉｉｎが引き込まれる。
【００２４】
そして、第２のスイッチング要素Ｑ２をオフすると、トランスＴに蓄えられたエネルギーによってトランスＴ→第１のダイオードＤ１→第１のコンデンサＣ１→第４のダイオードＤ４→トランスＴの経路で電流が流れ続けて再び第１のコンデンサＣ１が充電され、電流がゼロになると第１のスイッチング要素Ｑ１がオンの状態へと戻る。
【００２５】
上記のような定常動作時の動作を交流電源１の一周期にわたって繰り返すことにより、入力電流Ｉｉｎが一周期の略全域で流れることになる。なお、入力電流Ｉｉｎの波形は、図示しないフィルタ回路を用いてフィルタリングすることより略正弦波状の波形となり、入力電流Ｉｉｎの高調波成分を抑制して入力力率を向上させることができる。
【００２６】
上記本参考例において、第３のダイオードＤ３によって電源投入時に交流電源を回路的に切り離して突入電流を低減し、また第４のダイオードＤ４を介してトランスＴの１次巻線に蓄えられたエネルギーを放出することで第１のコンデンサＣ１を充電することができるので、第３及び第４のダイオードＤ３，Ｄ４からなる簡単な回路構成の切離し手段を設けることによって電源投入時の突入電流を低減することができる。さらに、第２のスイッチング要素Ｑ２のオン時間を制御手段（図示せず）にて可変することにより、第１のコンデンサＣ１の両端電圧Ｖｃ１を電源電圧Ｖｓに関係なく所望の電圧値に充電することがでる。なお、第２のスイッチング要素Ｑ２のオン時間を調整することによって充電に要する時間も調整することができる。したがって、従来例のように電源電圧Ｖｓによって第１のコンデンサＣ１が充電されて両端電圧Ｖｃ１の電圧値を電源電圧Ｖｓのピーク値以下に調整することができない昇圧動作とは異なって、昇降圧動作とすることができる。
【００２７】
ところで、本参考例は図５に示すような回路構成としてもよい。すなわち、トランスＴの１次巻線の一端を整流器２の低電位側に接続し、第２のコンデンサの一端を第１のコンデンサＣ１の高電位側の端子に接続し、整流器２の高電位側の直流出力端を第１のコンデンサＣ１の高電位側に接続するとともに、第３のダイオードＤ３のアノードを、第１のコンデンサＣ１と第１のダイオードＤ１との接続点に接続し、第１のスイッチング要素Ｑ１のコレクタに第３のダイオードＤ３のカソードを接続し、また第４のダイオードＤ４のカソードを、第１のコンデンサＣ１と第１のダイオードＤ１との接続点に接続するとともに、整流器２とトランスＴの１次巻線との接続点に第４のダイオードＤ４のアノードを接続する構成としてもよい。
【００２８】
上記回路構成においても、基本動作は図１に示した回路構成と同様であって、電源投入時には、第３のダイオードＤ３で交流電源１を回路的に切り離して突入電流を低減するとともに、第１のスイッチング要素Ｑ１をオンしてトランスＴの１次巻線に電流を流し、トランスＴの１次巻線に蓄えられたエネルギーによって第１のコンデンサＣ１に電流を流して第１のコンデンサＣ１を充電し、定常動作時には第１及び第２のスイッチング要素Ｑ１，Ｑ２を交互にオン／オフして高周波の交流電力を負荷回路に供給することができる。
【００２９】
或いは、図６に示すように、トランスＴの代わりにインダクタＬ１を第１及び第２のスイッチング要素Ｑ１，Ｑ２の接続点と整流器２の直流出力端との間に接続し、インダクタＬ２とコンデンサＣ３と放電灯Ｌａが直列接続されてなる負荷回路３をインダクタＬ１に並列接続した回路構成としてもよい。この回路構成における基本動作は図１に示した回路と同様であって、さらに、図１のトランスＴの１次巻線に流れる電流をインダクタＬ１，Ｌ２に分流して各々のインダクタＬ１，Ｌ２に流れる電流値を抑えることができ、トランスＴの代わりにインダクタＬ１，Ｌ２を用いることによって装置全体の小型化が図れるという利点がある。なお、本回路構成は、放電灯Ｌａの両フィラメント間に生じる電圧値が比較的低く絶縁を要しない場合に有効である。
【００３０】
なお、本参考例において負荷を１灯の放電灯Ｌａとしたが、２灯以上あってもよく、その場合は直列・並列などの接続方法を問わない。また、必ずしも放電灯である必要はなく、例えばトランスＴの２次巻線にダイオードブリッジからなる整流器を接続することによって直流電源を用いる負荷などにも対応できることは言うまでもない。
【００３６】
（実施形態）
本実施形態における基本構成は従来例と共通するために共通する部分については同一の符号を付して説明を省略し、本実施形態の特徴となる部分についてのみ詳細に説明する。
【００３７】
本実施形態は、図７に示すように整流器２の高電位側の直流出力端と第２のコンデンサＣ２との間に接続された第３のスイッチング要素Ｑ４からなる切離し手段を設けた点に特徴がある。
【００３８】
本実施形態の基本動作は、第３のスイッチング要素Ｑ４をオンさせたときには従来例と同様の動作を行うが、少なくとも電源投入時には第３のスイッチング要素Ｑ４を第２のスイッチング要素Ｑ２と同期させて次の動作を行う。
【００３９】
まず、第２及び第３のスイッチング要素Ｑ２，Ｑ４が共にオフのときは電流は流れずに交流電源１が回路的に切り離された状態となり、第２及び第３のスイッチング要素Ｑ２，Ｑ４を同時にオンすることによって、図８に示すように、交流電源１→整流器２→第３のスイッチング要素Ｑ４→トランスＴ→第２のスイッチング要素Ｑ２→整流器２→交流電源１の経路にて交流電源１から入力電流Ｉｉｎが流れ、次に第２及び第３のスイッチング要素Ｑ２，Ｑ４を同時にオフすると、図９に示すように、トランスＴの１次巻線に蓄えられたエネルギーによってトランスＴ→第１のダイオードＤ１→第１のコンデンサＣ１→第２のコンデンサＣ２→トランスＴの経路で電流が流れて第１のコンデンサＣ１が充電される。
【００４０】
したがって、第２及び第３のスイッチング要素Ｑ２，Ｑ４を同期してオン／オフさせることによって参考例と同様に交流電源１から第１のコンデンサＣ１への電流経路から交流電源１を回路的に切り離し、トランスＴの１次巻線に蓄えられたエネルギーにより第１のコンデンサＣ１を充電するので、電源投入時の突入電流を低減することができ、定常動作時には第３のスイッチング要素Ｑ４を常時オンすることで従来例と同様に交流電源の電源電圧の一周期の略全域にわたって入力電流Ｉｉｎを引き込んで高調波成分を抑制して入力力率を向上させることができる。また、第３のスイッチング要素Ｑ４をオンすることでチョッパ動作を従来例の昇圧動作とし、第２及び第３のスイッチング要素Ｑ２，Ｑ４を同期してオン／オフさせることによってチョッパ動作を参考例と同様の昇降圧動作に切り換えることができる。
【００４１】
この昇降圧動作によって放電灯Ｌａを調光することができ、その調光制御の一例について次に説明する。但し、昇降圧動作を利用したものは下記の例に限るものではない。
【００４２】
全点灯状態においては、図１０（ａ）に示すように、第３のトランジスタＱ４を常にオンし、第１及び第２のスイッチング要素Ｑ１，Ｑ２を周期Ｔ１にて交互にオン／オフを繰り返す。次に、図１０（ｂ）に示すように、第１及び第２のスイッチング要素Ｑ１，Ｑ２のオン／オフ周期をＴ２（Ｔ１＞Ｔ２）に変化させると、第１及び第２のダイオードＤ１，Ｄ２並びに第１及び第２のスイッチング要素からなるインバータ回路の出力が絞られて調光状態とすることができ、さらにこの調光状態から、図１０（ｃ）に示すように、第１及び第２のスイッチング要素Ｑ１，Ｑ２のオン／オフ周期Ｔ２は変化させずに第３のスイッチング要素Ｑ４を第２のスイッチング要素Ｑ２と同期してオン／オフさせると、チョッパ動作は昇圧動作から昇降圧動作へと切り換わって第１のコンデンサＣ１の両端電圧Ｖｃ１は低下し、上記インバータ回路の入力電圧が低下することで出力がさらに絞られた調光状態とすることができる。
【００４３】
また、第１及び第２のスイッチング要素Ｑ１，Ｑ２のオン／オフ周期を短くすると、上記インバータ回路の入出力電力が不均衡になり易く、結果として第１のコンデンサＣ１の両端電圧Ｖｃ１がさらに昇圧する可能性があるが、図１０（ｃ）に示すように第３のスイッチング要素Ｑ４をオン／オフすることによって昇降圧動作させ、第１のコンデンサＣ１の両端電圧Ｖｃ１を低下させることができる。
【００４４】
上記本実施形態において、少なくとも電源投入時には第３のスイッチング要素Ｑ４をオフすることで交流電源を回路的に切り離して突入電流が低減でき、また第２及び第３のスイッチング要素Ｑ２，Ｑ４を同時にオンして交流電源１からの入力電流Ｉｉｎを一旦トランスＴの１次巻線に短時間流し、第２及び第３のスイッチング要素Ｑ２，Ｑ４を同時にオフしてトランスＴの１次巻線に蓄積されたエネルギーにより第１のコンデンサＣ１へ電流を流して第１のコンデンサＣ１を充電することができ、定常動作時には第３のスイッチング要素Ｑ４をオンすることで従来例と同様に動作させ、高調波成分を抑制して入力力率を向上させることができる。さらに、第２及び第３のスイッチング要素Ｑ２，Ｑ４を同期してオン／オフさせることによってチョッパ動作を昇降圧動作に切り換えることができるので、例えば第１のコンデンサＣ１の両端電圧Ｖｃ１を低下させて放電灯Ｌａを調光することができる。
【００４５】
ところで、本実施形態は図１１に示すように、第１及び第２のダイオードＤ１，Ｄ２をそれぞれＭＯＳＦＥＴ５，６に内蔵されたダイオードを用いることによって、第１のスイッチング要素Ｑ１と第１のダイオードＤ１の並列回路を１個のＭＯＳＦＥＴ５に置き換え、同様に第２のスイッチング要素Ｑ２と第２のダイオードＤ２の並列回路を１個のＭＯＳＦＥＴ６に置き換えて、部品数を減らすことができる。また、第３のスイッチング要素Ｑ４をＭＯＳＦＥＴ７に置き換えてもよい。
【００４６】
【発明の効果】
請求項１の発明は、交流電源の交流出力を整流する整流器と、平滑用の第１のコンデンサと、第１のコンデンサと並列に接続されるとともに高周波で交互にオン／オフされる１対の第１及び第２のスイッチング要素の直列回路と、第１及び第２のスイッチング要素とそれぞれ逆並列に接続される第１及び第２のダイオードと、上記第１及び第２のスイッチング要素の接続点と整流器の一方の直流出力端との間に接続されるインダクタンス要素と、一端がインダクタンス要素と整流器の直流出力端との接続点に接続され、他端が第１のコンデンサの一方の端子に接続されて第１又は第２のスイッチング要素のオン／オフに応じてインダクタンス要素と共振回路を形成する第２のコンデンサと、インダクタンス要素と並列的に接続されて、インダクタンス要素と第２のコンデンサによる共振に応じて高周波出力を得る負荷回路とを備え、整流器の他方の直流出力端が第１のコンデンサの端子のうちで交流電源から整流器と、インダクタンス要素と、第１及び第２のダイオードの何れか一方と、第１のコンデンサとを介して電流の流れる経路が形成される側の端子に接続されてなる電源装置において、少なくとも電源投入時には交流電源から整流器とインダクタンス要素と第１及び第２のダイオードの何れか一方と第１のコンデンサとを介して電流が流れないように交流電源を回路的に切り離す切離し手段を設けたので、少なくとも電源投入時には切離し手段によって交流電源を回路的に切り離すことで突入電流を低減することができるという効果がある。なお、第１又は第２のスイッチング要素のオン／オフにより交流電源からの入力電流を一旦インダクタンス要素に短時間流し、インダクタンス要素に蓄積されたエネルギーによって第１のコンデンサへ電流を流して第1のコンデンサを充電することができる。また、切離し手段は、整流器の一対の直流出力端の何れか一方と第２のコンデンサとの間に接続された第３のスイッチング要素からなるので、少なくとも電源投入時には第３のスイッチング要素をオフすることで交流電源を回路的に切り離して突入電流が低減でき、また第３のスイッチング要素と第１又は第２のスイッチング要素とを同時にオンして交流電源からの入力電流を一旦インダクタンス要素に短時間流し、第３のスイッチング要素と第１又は第２のスイッチング要素とを同時にオフしてインダクタンス要素に蓄積されたエネルギーにより第１のコンデンサへ電流を流して第１のコンデンサを充電することができ、さらに定常動作時には第３のスイッチング要素と第１又は第２のスイッチング要素を同期させて第１のコンデンサの両端電圧の昇圧を抑制することができるという効果がある。
【図面の簡単な説明】
【図１】  参考例を示す回路図である。
【図２】  同上の動作説明用の回路図である。
【図３】  同上の動作説明用の回路図である。
【図４】  同上の動作説明用のタイムチャートである。
【図５】  同上の他の例を示す回路図である。
【図６】  同上の他の例を示す回路図である。
【図７】  実施形態を示す回路図である。
【図８】  同上の動作説明用の回路図である。
【図９】  同上の動作説明用の回路図である。
【図１０】  同上の動作説明用のタイムチャートである。
【図１１】  同上の他の例を示す回路図である。
【図１２】  従来例を示す回路図である。
【図１３】  同上の動作説明用の回路図である。
【符号の説明】
１  交流電源
２  整流器
３  負荷回路
Ｃ１，Ｃ２  コンデンサ
Ｄ１，Ｄ２，Ｄ３，Ｄ４  ダイオード
Ｑ１，Ｑ２  スイッチング要素
Ｔ  トランス
【図１】
0003654067.tif 000002
【図２】
0003654067.tif 000003
【図３】
0003654067.tif 000004
【図４】
0003654067.tif 000005
【図５】
0003654067.tif 000006
【図６】
0003654067.tif 000007
【図７】
0003654067.tif 000008
【図８】
0003654067.tif 000009
【図９】
0003654067.tif 000010
【図１０】
0003654067.tif 000011
【図１１】
0003654067.tif 000012
【図１２】
0003654067.tif 000013
【図１３】
0003654067.tif 000014